(57)【特許請求の範囲】
【請求項１】
戸当たり面に板状の表面材が取り付けられ、表面材の内側が空洞になっている扉枠に錠受孔を有する錠受板が取り付けられた錠受板の取付構造であって、
前記表面材には錠受板より小さく錠受孔より大きい下孔と、この下孔の上下にそれぞれ上側切欠部と下側切欠部が設けられ、
前記錠受板には、裏面の上部に表面材の厚みより若干高く立上がりその先端が上方向に錠受板にほぼ平行に折曲された上側挟持板が、又、裏面の下部に表面材の厚みより若干高く立上がりその先端が下方向に錠受板にほぼ平行に折曲された下側挟持板が、それぞれ設けられ、
この上側挟持板の上端より下側挟持板の立上がりまでの距離、又は、下側挟持板の下端より上側挟持板の立上がりまでの距離が表面材の下孔の上下方向の距離より短くなされ、この上側挟持板と下側挟持板にそれぞれ雌ネジが設けられ、この雌ネジの対面の錠受板に取付孔が設けられ、この上方の雌ネジと下方の雌ネジ間の距離が表面材の下孔の上下方向の距離より長く、上側切欠部の上端より下側切欠部の下端までの距離より短くなされ、
錠受板が下孔を塞いで表面材に当接され、錠受板と上側挟持板の間に下孔の上側縁部が挿入され、上側切欠部の幅より小さいボルトが錠受板の上方の取付孔から表面材の上側切欠部を経て上側挟持板の雌ネジに螺入されて上側挟持板が錠受板方向に引き寄せられて、錠受板と上側挟持板が表面材を挟持し、又、錠受板と下側挟持板の間に下孔の下側縁部が挿入され、下側切欠部の幅より小さいボルトが錠受板の下方の取付孔から表面材の下側切欠部を経て下側挟持板の雌ネジに螺入されて下側挟持板が錠受板方向に引き寄せられて錠受板と下側挟持板で表面材を挟持して錠受板が表面材に止着されていることを特徴とする錠受板の取付構造。
【発明の詳細な説明】
【０００１】
【発明の属する技術分野】
本発明は錠受板の取付構造に関する。
【０００２】
【従来の技術】
扉を取り付ける扉枠には、扉の自由側端面から突出する錠ボルトが挿入される錠受孔が設けられていて、扉を閉めたときに、この扉の錠ボルトが扉枠の錠受孔に挿入されて、扉が止着されるようになっている。
しかし、錠ボルトを扉に取り付けるときや、錠受孔を扉枠に取り付けるときや、扉を扉枠に取り付けるとき等に発生する誤差によって扉を閉めたときに、扉の錠ボルトが扉枠の錠受孔に入り難かったり、入らないことがある。
かかる問題を解決する方法として、実公平１−９８９４号公報、実開昭５９−４７０６６号公報記載のように、扉を取り付けるときに錠ボルトに合わせて錠受孔の位置を移動させて木製の扉枠にネジ釘で取り付ける構造が知られている。
【０００３】
【発明が解決しようとする課題】
しかしながら、実公平１−９８９４号公報記載の錠受板では、左右方向には移動させて取り付けることができるが、上下方向には移動させて取り付けることができない。
又、実開昭５９−４７０６６号公報記載の錠受板では、上下方向に移動させて取り付けることができるが、左右方向には移動させて取り付けることができない。
【０００４】
又、両者とも、一旦、取り付けた後に再び錠受板を取り外し、若干移動させて錠受板を取り付けようとしても、ネジ釘が前に取り付けたネジ孔に螺入されて、前に取り付けたネジ孔近傍にネジ釘を螺入することが困難である。従って、例えば、誤って錠受板を異なった位置に取り付けると、補正が困難であるし、又、取り付けた後に扉の重量によって次第に扉の自由側が下方にずれて扉の錠ボルトが扉枠の錠受孔に入り難くなったり、入らなくなった際に補正し難いという問題がある。
そこで、本発明の目的は、錠受板を取り付ける際にも、又、取り付けた後でも簡単に上下、左右方向に移動させて錠受板を補正することができる錠受板の取付構造を提供することである。
【０００５】
【課題を解決するための手段】
本発明は上記目的を達成するためになしたものであって、戸当たり面に板状の表面材が取り付けられ、表面材の内側が空洞になっている扉枠に錠受孔を有する錠受板が取り付けられた錠受板の取付構造であって、
前記表面材には錠受板より小さく錠受孔より大きい下孔と、この下孔の上下にそれぞれ上側切欠部と下側切欠部が設けられ、
前記錠受板には、裏面の上部に表面材の厚みより若干高く立上がりその先端が上方向に錠受板にほぼ平行に折曲された上側挟持板が、又、裏面の下部に表面材の厚みより若干高く立上がりその先端が下方向に錠受板にほぼ平行に折曲された下側挟持板が、それぞれ設けられ、
この上側挟持板の上端より下側挟持板の立上がりまでの距離、又は、下側挟持板の下端より上側挟持板の立上がりまでの距離が表面材の下孔の上下方向の距離より短くなされ、この上側挟持板と下側挟持板にそれぞれ雌ネジが設けられ、この雌ネジの対面の錠受板に取付孔が設けられ、この上方の雌ネジと下方の雌ネジ間の距離が表面材の下孔の上下方向の距離より長く、上側切欠部の上端より下側切欠部の下端までの距離より短くなされ、
錠受板が下孔を塞いで表面材に当接され、錠受板と上側挟持板の間に下孔の上側縁部が挿入され、上側切欠部の幅より小さいボルトが錠受板の上方の取付孔から表面材の上側切欠部を経て上側挟持板の雌ネジに螺入されて上側挟持板が錠受板方向に引き寄せられて、錠受板と上側挟持板が表面材を挟持し、又、錠受板と下側挟持板の間に下孔の下側縁部が挿入され、下側切欠部の幅より小さいボルトが錠受板の下方の取付孔から表面材の下側切欠部を経て下側挟持板の雌ネジに螺入されて下側挟持板が錠受板方向に引き寄せられて錠受板と下側挟持板で表面材を挟持して錠受板が表面材に止着されているものである。
【０００６】
本発明においては、上側挟持板と下側挟持板にそれぞれ雌ネジが設けられているが、この上側挟持板と下側挟持板に雌ネジを設ける方法としては上側挟持板や下側挟持板に直接雌ネジを穿設してもよいし、上側挟持板や下側挟持板に通孔を設け、この通孔の周縁部に内面に雌ネジを有する筒体を取り付けてもよい。
【０００７】
（作用）
錠受板の取付方法を説明しながら、本発明錠受板の取付構造の作用を説明する。
錠受板を表面材に取り付けることができる方法としては下側挟持板の下端より上側挟持板の立ち上がりまでの距離が表面材の下孔の上下方向の距離より短くなっている場合と、上側挟持板の上端より下側挟持板の立ち上がりまでの距離が表面材の下孔の上下方向の距離より短くなっている場合とで異なる。
先ず、下側挟持板の下端より上側挟持板の立ち上がりまでの距離が表面材の下孔の上下方向の距離より短くなっている場合について説明する。
本発明では、上側挟持板は錠受板の裏面の上部に表面材の厚みより若干高く立ち上がりその先端が上方向に錠受板にほぼ平行に折曲されているから、錠受板と上側挟持板の隙間に表面材の下孔の上側縁部を入れることができるので、上側挟持板の立ち上がり近傍まで深く挿入する。
【０００８】
すると、本発明では、上側挟持板の上端より下側挟持板の立ち上がりまでの距離が表面材の下孔の上下方向の距離より短くなされているから、下側挟持板の下端は下孔の下側縁の上方に位置する。そこで、錠受板を表面材に当接させて錠受板と下側挟持板との隙間を下孔の下側縁に向け、錠受板を下方向にずらせて、錠受板と下側挟持板との隙間に下孔の下側縁を入れて錠受板を表面材に取り付ける。
尚、下側挟持板は錠受板の裏面の下部に表面材の厚みより若干高く立ち上がりその先端が下方向に錠受板にほぼ水平に折曲されているから、錠受板と下側挟持板との間に表面材をずらして入れることができる。
【０００９】
次に、上側挟持板の上端より下側挟持板の立ち上がりまでの距離が表面材の下孔の上下方向の距離より短くなっている場合について説明する。
本発明では、下側挟持板は錠受板の裏面の下部に表面材の厚みより若干高く立ち上がりその先端が下方向に錠受板にほぼ平行に折曲されているから、錠受板と下側挟持板の隙間に表面材の下孔の下側縁部を入れることができるので、下側挟持板の立ち上がり近傍まで深く挿入する。
【００１０】
すると、本発明では、下側挟持板の下端より上側挟持板の立ち上がりまでの距離が表面材の下孔の上下方向の距離より短くなされているから、上側挟持板の上端は下孔の上側縁の下方に位置する。そこで、錠受板を表面材に当接させて錠受板と上側挟持板との隙間を下孔の上側縁に向け、錠受板を上方向にずらして、錠受板と上側挟持板との隙間に下孔の上側縁を入れ錠受板を表面材に取り付ける。尚、上側挟持板は錠受板の裏面の上部に表面材の厚みより若干高く立ち上がりその先端が上方向に錠受板にほぼ平行に折曲されているから、錠受板と上側挟持板との間に表面材をずらして入れることができる。
このようにして錠受板を表面材に取り付けることができる。
【００１１】
その後、ボルトを錠受板の上方の取付孔から下孔の上側切欠部を経て、上側挟持板の雌ネジに螺入し上側挟持板を錠受板方向に引き寄せて、錠受板と上側挟持板で表面材を挟持させて表面材に錠受板に止着する。
又、別のボルトを錠受板の下方の取付孔から下孔の下側切欠部を経て、下側挟持板の雌ネジに螺入して下側挟持板を錠受板方向に引き寄せて、錠受板と下側挟持板で表面材を挟持させて表面材に錠受板を止着する。
【００１２】
この際、上記方法で表面材に錠受板を取り付けると、本発明では、上側挟持板と下側挟持板にそれぞれ雌ネジが設けられ、この雌ネジの対面の錠受板に取付孔が設けられているし、錠受板の上方の雌ネジと雌ネジ間の距離が表面材の下孔の上下方向の距離より長く、上側切欠部の上端より下側切欠部の下端までの距離より短くなされているから、上側挟持板の雌ネジと、この雌ネジに対面の取付孔とは下孔の上に設けられている上側切欠部を挟んでいるし、又、下側挟持板の雌ネジと、対面の通孔とは下孔の下に設けられている下側切欠部を挟んでいる。従って、ボルトを取付孔から上側挟持板の雌ネジに螺入することができるし、別のボルトを取付孔から下側挟持板の雌ネジに螺入することができる。
【００１３】
このように、錠受板と上側挟持板の隙間に表面材の上側縁部を入れたり、錠受板と下側挟持板の隙間に表面材の下側縁部を入れた後、ボルトを錠受板の取付孔から上側挟持板の雌ネジと下側挟持板の雌ネジに螺入するだけで、極めて簡単に錠受板を止着することができる。
このようにして表面材に錠受板を止着すると、下孔より錠受板が大きいから、表面材の下孔が錠受板で覆われて見えなくなり、この部分が美麗である。
【００１４】
そして、位置を誤って錠受板を取り付けたり、扉の重量によって扉の自由側が下方にずれて扉の錠ボルトが扉枠の錠受孔に入り難くなって、錠受板の取付位置を変更する際には、このボルトを緩める。すると、下側挟持板や上側挟持板を引き寄せている力がなくなるから、錠受板を上下、左右に移動させて補正することができる。
尚、本発明では、ボルトが上側切欠部の幅より小さく、又、別のボルトが下側切欠部の幅より小さいから、錠受板を左右に移動させることができるし、又、上方の雌ネジと下方の雌ネジ間の距離が表面の下孔の上下方向の距離より長く、しかも、上方の切欠部の上端より下方の切欠部の下端までの距離より短くなされているから、錠受板を上下方向に移動させることができる。
このようにして錠受板の取付位置を補正して再びボルトと別のボルトを巻き締めると錠受板が止着できる。
【００１５】
【発明の実施の形態】
次に、本発明の実施の形態を説明する。
図１および図２は本発明錠受板の取付構造の一実施例を示すもので、図１（イ）は錠受板が取り付けられた扉枠の斜視図、（ロ）は（イ）のＡ−Ａ線における断面図、図２は錠受板を取り付けている状態を示す一部切欠説明図である。
【００１６】
図１および図２において、１は扉枠であり、この扉枠１は筒状の鋼板からなる表面材１１が取り付けられたものであり、内部は空洞になっている。
２は扉枠１の戸当たり面に設けられている長方形の下孔であり、この下孔２の上下には、長方形に切り欠かれた上側切欠部２１と下側切欠部２２が設けられている。
３は鋼板からなる錠受板であり、この錠受板３には、ほぼ中央部分に長方形に切り欠いた錠受孔４が設けられている。又、この錠受板３の裏面の上部には上側挟持板５が設けられているし、裏面の下部には下側挟持板６が設けられている。
【００１７】
上側挟持板５は表面材１１の厚みより若干高く立ち上がりその先端が上方向に錠受板３にほぼ平行に折曲されている。又、下側挟持板６は表面材１１の厚みより若干高く立ち上がりその先端が下方向に錠受板にほぼ平行に折曲されている。従って、この上側挟持板５と錠受板３との間、および下側挟持板６と錠受板３との間に表面材１１を挿入することができるようになっている。
この上側挟持板５には通孔が設けられ、この通孔の周縁部に雌ネジ５１を有する筒状体が設けられ、この雌ネジ５１の対面の錠受板３には取付孔３２が設けられている。又、下側挟持板６には通孔が設けられ、この通孔の周縁部に内面に雌ネジ６１を有する筒状体が設けられ、この雌ネジ６１の対面の錠受板３には取付孔３３が設けられている。
【００１８】
下孔２は錠受板３より小さく錠受孔４より大きくなされている。
又、上側挟持板５の上端より下側挟持板６の立ち上がりまでの距離（Ｈ−１）と下側挟持板の下端より上側挟持板の立ち上がりまでの距離（Ｈ−２）は、同じであって、表面材の下孔２の上下方向の距離（Ｈ−３）より短くなっている。
又、上方の雌ネジ５１と下方の雌ネジ６１間の距離（Ｈ−４）は表面材の下孔２の上下方向の距離（Ｈ−３）より長く、上側切欠部２１の上端より下側切欠部２２の下端までの距離（Ｈ−５）より短くなっている。
【００１９】
そして、この錠受板３の取付構造は、錠受板３が下孔２を塞いで表面材１１に当接され、錠受板３と上側挟持板５の間に下孔２の上側縁部が挿入され、又、錠受板３と下側挟持板６の間に下孔２の下側縁部が挿入されて錠受板３が表面材１１に取り付けられている。そして、上側切欠部２１の幅より小さいボルト７が錠受板３の上方の取付孔３２から表面材１１の上側切欠部２１を経て上側挟持板５の雌ネジ５１に螺入され上側挟持板５が錠受板３方向に引き寄せられて、錠受板３と上側挟持板５が表面材１１を挟持し、又、下側切欠部２２の幅より小さいボルト７１が錠受板３の下方の取付孔３３から表面材１１の下側切欠部２２を経て下側挟持板６の雌ネジ６１に螺入されて下側挟持板６が錠受板３方向に引き寄せられて錠受板３と下側挟持板６で表面材１１を挟持して錠受板３が表面材１１に止着されている。
【００２０】
次に、錠受板の取付構造になす錠受板の取付方法と作用について説明する。
錠受板３を表面材１１に取り付ける方法としては、錠受板３を下から取り付ける場合と、錠受板３を上から取り付ける場合とがあるが、錠受板３を下から取り付ける場合について説明し、上から取り付ける場合は上下を逆にするだけであるから説明を省略する。
上側挟持板５は錠受板３の裏面の上部に表面材１１の厚みより若干高く立ち上がりその先端が上方向に錠受板３にほぼ平行に折曲されているから、錠受板３と上側挟持板５の隙間に表面材１１の下孔２の上側縁部を挿入できるので、上側挟持板５の立ち上がり部分まで深く挿入する。
【００２１】
すると、上側挟持板５の上端より下側挟持板６の立ち上がりまでの距離（Ｈ−１）が表面材の下孔２の上下方向の距離（Ｈ−３）より短くなっているから、下側挟持板６の下端は下孔２の下側縁の上方に位置する。そこで、錠受板３を表面材１１に当接させて錠受板３と下側挟持板６との隙間を下孔２の下側縁に向け、錠受板３を下方向にずらせて、錠受板３と下側挟持板６との隙間に下孔２の下側縁を入れて錠受板３を表面材１１に取り付ける。
尚、下側挟持板６は錠受板３の裏面の下部に表面材１１の厚みより若干高く立ち上がりその先端が下方向に錠受板３にほぼ平行に折曲されているから、錠受板３と下側挟持板との間に表面材１１をずらして入れることができる。
このようにして錠受板３を表面材１１に取り付けることができる。
【００２２】
その後、ボルト７を錠受板３の上方の取付孔３２から表面材１１の切欠部２１を経て、上側挟持板５の雌ネジ５１に螺入し上側挟持板５を錠受板３方向に引き寄せて、錠受板３と上側挟持板５で表面材１１を挟持させて表面材１１に錠受板３を止着する。
又、別のボルト７１を錠受板３の下方の取付孔３３から表面材１１の切欠部２２を経て、下側挟持板６の雌ネジ６１に螺入して下側挟持板６を錠受板３方向に引き寄せて、錠受板３と下側挟持板６で表面材１１を挟持させて表面材１１に錠受板３を止着する。
【００２３】
尚、上記のように錠受板３を表面材１１に取り付けると、錠受板３の上方の雌ネジ５１と雌ネジ６１間の距離（Ｈ−４）は表面材１１の下孔２の上下方向の距離（Ｈ−３）より長く、上側切欠部２１の上端より下側切欠部２２の下端までの距離（Ｈ−５）より短くなされているから、雌ネジ５１、６１と対面の取付孔３２、３３とは上側切欠部２１、下側切欠部２２を挟んでいる。従って、ボルト７を取付孔３２から上側挟持板５の雌ネジ５１に螺入することができるし、ボルト７１を取付孔３３から下側挟持板６の雌ネジ６１に螺入することができる。
【００２４】
このように、錠受板３と上側挟持板５の隙間に表面材１１の上側縁部を入れたり、錠受板３と下側挟持板６の隙間に表面材１１の下側縁部を入れた後、ボルト７、７１を錠受板３の取付孔から上側挟持板５の雌ネジ５１と下側挟持板６の雌ネジ６１に螺入するだけであるから、極めて簡単に錠受板３を表面材１１に止着することができる。
このようにして表面材１１に錠受板３を止着すると、下孔２より錠受板３が大きいから、表面材１１の下孔２が錠受板３で覆われて見えなくなり、この部分が美麗である。
【００２５】
そして、位置を誤って錠受板３を取り付けたり、扉の重量によって扉の自由側が下方にずれて扉の錠ボルトが扉枠の錠受孔４に入り難くなって、錠受板の取付位置を変更したいときには、このボルト７、７１を緩める。すると、下側挟持板６や上側挟持板５を引き寄せている力がなくなるから、錠受板３を上下、左右に移動させて簡単に補正することができる。
尚、ボルト７、７１が切欠部２１、２２の幅より小さいから、錠受板３を左右に移動させることができるし、又、上方の雌ネジ７と下方の雌ネジ７１間の距離が表面材１１の下孔２の上下方向の距離より長く、しかも、上方の切欠部２１の上端より下方の切欠部２２の下端までの距離より短くなされているから、錠受板３を切欠部の中を上下方向に移動させることができる。
このようにして補正した後、ボルト７、７１を巻き締めると再び、錠受板３を表面材に止着させる。
【００２６】
上記した実施形態では、錠受板を単なる板状のものとして説明し、板状の錠受板を表面材に止着する構成を説明した。しかしながら本発明は、上記した実施形態にとらわれるものではなく、錠受孔が設けられた板体に、他の部材が一体化されたものであってもよい。
図３は、本発明の他の実施例を示すものであり、図１（ロ）に相当する断面図である。図３に示す錠受板３は、背面側に電気錠の受け部１５が一体化されたものである。電気錠の受け部１５は、長方形の箱錠をしており、図示しない施錠トリガーボルト、施錠トリガーや、施開錠確認スイッチ等が内蔵されたものである。
錠受板３の背面であって、受け部１５の上下に隣接した位置には、先の実施例と同様の上側挟持部５及び下側挟持部６が設けられている。錠受板３の取り付け方法は、先の実施例と同一であり、錠受板３の背面と上側挟持部５及び下側挟持部６の間で表面材１１を挟持し、雄ネジ５１、６１によって、上側挟持部５及び下側挟持部６を引き寄せることにより行う。
【００２７】
【発明の効果】
本発明では、上側挟持板は錠受板の裏面の上部に表面材の厚みより若干高く立ち上がりその先端が上方向に錠受板にほぼ平行に折曲されているから、錠受板と上側挟持板との間に表面材を入れることができるし、又、下側挟持板は錠受板の裏面の下部に表面材の厚みより若干高く立ち上がりその先端が下方向に錠受板にほぼ平行に折曲されているから、錠受板と下側挟持板との間に表面材を入れることができる。
【００２８】
本発明では、上側挟持板の上端より下側挟持板の立ち上がりまでの距離または下側挟持板の下端より上側挟持板の立ち上がりまでの距離が表面材の下孔の上下方向の距離より短くなされているから、錠受板と上側挟持板の隙間に表面材の下孔の上側縁部を挿入した後、錠受板と下側挟持板の間に表面材を入れることができたり、錠受板と下側挟持板の隙間に表面材の下孔の下側縁部を挿入した後、錠受板と上側挟持板の間に表面材を入れることができる。
【００２９】
本発明では、上側挟持板と下側挟持板にそれぞれ雌ネジが設けられ、この雌ネジの対面の錠受板に取付孔が設けられているし、錠受板の上方の雌ネジと下方の雌ネジ間の距離が表面材の下孔の上下方向の距離より長く、上側切欠部の上端より下側切欠部の下端までの距離より短くなされているから、ボルトを取付孔から上側挟持板の雌ネジに螺入することができるし、ボルトを取付孔から下側挟持板の雌ネジに螺入することができる。
このようになっているから、錠受板と上側挟持板の隙間に表面材の上側縁部を入れたり、錠受板と下側挟持板の隙間に表面材の下側縁部を入れた後、ボルトを錠受板の取付孔から上側挟持板の雌ネジと下側挟持板の雌ネジに螺入するだけで、極めて簡単に錠受板を止着することができるので便利である。
このようにして表面材に錠受板を止着すると、下孔より錠受板が大きいから、表面材の下孔が錠受板で覆われて見えなくなり、この部分が美麗である。
【００３０】
そして、位置を誤って錠受板を取り付けたり、扉の重量によって扉の自由側端面が下方にずれて扉の錠ボルトが扉枠の錠受孔に入り難くなって、錠受板の取り付け位置を変更する際には、このボルトを緩めて錠受板を上下、左右に移動させて補正することができるので便利である。
尚、本発明では、ボルトが切欠部の幅より小さいから、錠受板を左右に移動させることができるし、又、上方の雌ネジと下方の雌ネジ間の距離が表面の下孔の上下方向の距離より長く、しかも、上方の切欠部の上端より下方の切欠部の下端までの距離より短くなされているから、錠受板を上下方向に移動させることができる。
【図面の簡単な説明】
【図１】本発明錠受板の取付構造の一実施例を示すもので、（イ）は錠受板が取り付けられてた扉枠の斜視図、（ロ）は（イ）のＡ−Ａ線における断面図である。
【図２】錠受板を取り付けている状態を示す一部切欠説明図である。
【図３】本発明の他の実施例を示すものであり、図１（ロ）に相当する断面図である。
【符号の説明】
１          扉枠
１１        表面材
２          下孔
２１        上側切欠部
２２        下側切欠部
３          錠受板
４          錠受孔
５          上側挟持板
５１        雌ネジ
６          下側挟持板
６１        雌ネジ
７          ボルト
【図１】
0003668572.tif 000002
【図２】
0003668572.tif 000003
【図３】
0003668572.tif 000004